(57)【要約】【課題】本発明は、レンズ鏡胴のコンパクト化を妨げることなく、且つ前玉レンズの偏心調整を行うことができるレンズ鏡胴を提供する。【解決手段】本発明のレンズ鏡胴１は、前玉レンズ２０のレンズ保持枠８０が、フォーカスリング２Ａの内側位置において、鏡胴本体を構成する中間筒４６に回動自在に嵌合されている。また、フォーカスリング２Ａの内側位置において、レンズ保持枠８０が中間筒４６と押え環８２とによって挟持固定される。このように、フォーカスリング２Ａの内側位置で前玉レンズ２０のレンズ保持枠８０を固定することにより、フォーカスリングの光軸方向前方側位置において、前玉レンズのレンズ保持枠を鏡胴本体に固定する固定構造と比較して、レンズ鏡胴１の全長を短くできる。また、押え環を螺着する前にレンズ保持枠８０を、光軸を中心に回動させれば、前玉レンズ２０の偏心調整を容易に行うことができる。【選択図】  図１
2007219023.tif 000002
【特許請求の範囲】
【請求項１】
鏡胴本体に回動自在に設けられたフォーカスリングの内側位置において、最も被写体側に位置する前玉レンズのレンズ保持枠が前記鏡胴本体に回動自在に嵌合され、前記レンズ保持枠を鏡胴本体に対して回動させることで偏心調整し、前記レンズ保持枠が偏心調整された状態で前記レンズ保持枠よりも被写体側から挿入される押え環を前記鏡胴本体に螺着することで前記レンズ保持枠を鏡胴本体に押し付けて固定することを特徴とするレンズ鏡胴。
【請求項２】
前記レンズ保持枠の外周部に形成された偏心調整用切欠き部、及び／又は前記前玉レンズを熱かしめにより保持するかしめ部が、前記前玉レンズを被写体側から見た際に前記押え環によって隠されることを特徴とする請求項１に記載のレンズ鏡胴。
【発明の詳細な説明】
【技術分野】
【０００１】
本発明はレンズ鏡胴に係り、特に民生用ビデオカメラ等のビデオカメラに使用されるレンズ鏡胴に関する。
【背景技術】
【０００２】
民生用等に使用されるビデオカメラのレンズ鏡胴は、撮像素子の結像面のイメージサイズが、例えば１／３インチサイズから１／２インチサイズに大きくなると、広範囲な画像を取得するために、レンズ鏡胴の最も被写体側に位置する前玉レンズを大径化する必要がある。
【０００３】
図５、図６には、レンズ鏡胴１００の鏡胴本体１０２に、前玉レンズ１０３のレンズ保持枠１０４を固定するその構造例が示されている。図５に示す固定構造は、鏡胴本体１０２の光軸方向前端部にフランジ１０５を形成するとともに、このフランジ１０５が突き合わされるフランジ１０６をレンズ保持枠１０４の光軸方向後端部に形成し、これらのフランジ１０５、１０６を突き合わせてボルト１０７又はビスにより固定する構造である。また、図６に示す固定構造は、鏡胴本体１０２の光軸方向前端部の内周に雌ねじ１０２Ａを形成するとともに、レンズ保持枠１０４の光軸方向後端部の外周に雄ねじ１０４Ａを形成し、雌ねじ１０２Ａと雄ねじ１０４Ａとを螺着させることにより締結固定する構造である。
【０００４】
また、特許文献１には、レンズの外径と略同一の内径を有する鏡胴にレンズを挿入し、鏡胴の内周に形成された雌ねじに、押え環の外周部に形成された雄ねじを螺着することにより、レンズを鏡胴と押え環とで挟持する固定構造が開示されている。
【０００５】
ところで、民生用のビデオカメラは携帯性が重視されるため、小径及び光軸方向の長さの短いコンパクトなレンズ鏡胴が望まれており、このような要求から前玉レンズ１０３の外側に図５の二点鎖線で示すフォーカスリング１０８が位置するように設計されるのが一般的である。このレンズ鏡胴によれば、フォーカスリング１０８の光軸方向前方に前玉レンズが配置されるレンズ鏡胴と比較して光軸方向の長さが短くなるという利点がある。
【特許文献１】特許第３３４５９２０号公報
【発明の開示】
【発明が解決しようとする課題】
【０００６】
しかしながら、図５に示した前玉レンズ１０３の固定構造によれば、固定用のフランジ１０５、１０６が形成されるが故に、そのフランジ１０５、１０６のレンズ保持枠１０４から外径方向に突出した分だけレンズ鏡胴１００の外径Ｄが余計に大きくなり、小径化を図ることができないという欠点があった。この不具合は、フォーカスリング１０８の光軸方向前方に前玉レンズ１０３を配置すれば解消できるが、この構造では前述したようにレンズ鏡胴の光軸方向の長さが長くなるので得策ではない。
【０００７】
また、図６に示した前玉レンズ１０３の固定構造は、鏡胴本体１０２にレンズ保持枠１０４を直接螺着するので、前玉レンズ１０３の偏心調整を行うことができないという欠点があった。前玉レンズの偏心調整とは、レンズ鏡胴１００の組立時に実施される光学調整であり、例えば、レンズ鏡胴１００の光出射端に顕微鏡を接続して点光源を前玉レンズ１０３から入射し、この出射光の結像点を顕微鏡にて観察する。そして、レンズ保持枠１０４を光軸を中心に回転させていき、このときに顕微鏡で見える点光源の結像点が最も収束した回動位置でレンズ保持枠を固定する、という調整である。図６のように、鏡胴本体１０２にレンズ保持枠１０４を直接螺着する固定構造では、前玉レンズ１０３の回転位置が固定されてしまうため、このような偏心調整を実施することができない。また、ボルト１０７によって固定する図５の固定構造でも偏心調整を実施できない。更に、特許文献１には、レンズを鏡胴と押え環とで挟持する固定構造が開示されているのみで、偏心調整を実施するための構造は記載されていない。
【０００８】
本発明はこのような事情に鑑みてなされたもので、レンズ鏡胴のコンパクト化を妨げることなく、且つ前玉レンズの偏心調整を行うことができるレンズ鏡胴を提供することを目的とする。
【課題を解決するための手段】
【０００９】
前記目的を達成するために、請求項１に記載のレンズ鏡胴は、鏡胴本体に回動自在に設けられたフォーカスリングの内側位置において、最も被写体側に位置する前玉レンズのレンズ保持枠が前記鏡胴本体に回動自在に嵌合され、前記レンズ保持枠を鏡胴本体に対して回動させることで偏心調整し、前記レンズ保持枠が偏心調整された状態で前記レンズ保持枠よりも被写体側から挿入される押え環を前記鏡胴本体に螺着することで前記レンズ保持枠を鏡胴本体に押し付けて固定することを特徴としている。
【００１０】
フォーカスリングの光軸方向前方位置において、前玉レンズのレンズ保持枠を鏡胴本体に固定する固定構造であると、固定位置を前方にずらした分だけレンズ鏡胴が長くなり大型化するが、請求項１の如くフォーカスリングの内側位置で、前玉レンズのレンズ保持枠を鏡胴本体に固定することにより、レンズ鏡胴の全長を短くできる。また、請求項１の発明は、押え環を利用した挟持構造であり、フランジを使用した固定構造ではないため、フォーカスリングの内側位置で、前玉レンズのレンズ保持枠を鏡胴本体に固定してもレンズ鏡胴の径が大きくなることはない。更に、前玉レンズの偏心調整は、押え環による固定工程の前に、レンズ保持枠を鏡胴本体に嵌合させた状態で回転させることにより容易に実施できる。よって、請求項１に記載のレンズ鏡胴によれば、レンズ鏡胴のコンパクト化を妨げることなく、且つ前玉レンズの偏心調整を行うことができる。
【００１１】
請求項２に記載のレンズ鏡胴は、請求項１に記載の発明において、前記レンズ保持枠の外周部に形成された偏心調整用切欠き部、及び／又は前記前玉レンズを熱かしめにより保持するかしめ部が、前記前玉レンズを被写体側から見た際に前記押え環によって隠されることを特徴としている。
【００１２】
請求項２に記載の本発明によれば、前玉レンズのレンズ保持枠は、その被写体側縁部を加熱して熱かしめにより前玉レンズを保持しており、また、レンズ保持枠の被写体側縁部には、偏心調整を行うための治具が挿入される切欠きが形成されている。このレンズ保持枠の変形した熱かしめ部と切欠きとが、前玉レンズを被写体側から見た際に押え環によって隠れるので、レンズ鏡胴の外観の見栄えが向上する。
【発明の効果】
【００１３】
本発明に係るレンズ鏡胴によれば、前玉レンズのレンズ保持枠が鏡胴本体に回動自在に嵌合され、レンズ保持枠は、鏡胴本体に螺着される押え環によって鏡胴本体に押し付けられて固定されるので、レンズ鏡胴のコンパクト化を妨げることなく、且つ前玉レンズの偏心調整を行うことができる。
【発明を実施するための最良の形態】
【００１４】
以下、添付図面に従って本発明に係るレンズ鏡胴を実施するための最良の形態について説明する。
【００１５】
図１は、本発明が適用される民生用ビデオカメラの撮影レンズにおけるレンズ鏡胴１を示した側面図、図２は、図１に示したレンズ鏡胴１の側断面図である。なお、図１、図２では、民生用ビデオカメラに使用されるレンズ鏡胴を示したが、これに限定されるものではなく、テレビ放送用のＥＮＧカメラ、監視用カメラ等に使用されるレンズ鏡胴にも適用することができる。
【００１６】
図１に示すレンズ鏡胴１は略円筒状に構成され、図１の右側に相当する後端部に配置される不図示のカメラ本体に固定される。また、レンズ鏡胴１の外周部には、被写体側から順に第１フォーカスリング２Ａ、ズームリング４、アイリスリング６が回動可能に設けられている。カメラマンは、これらの操作リング２Ａ、４、６を適宜回動操作することによりフォーカス調整、ズーム調整、絞り調整を行うことができる。
【００１７】
図２において、レンズ鏡胴１の固定筒（鏡胴本体）は前枠１０、固定環１２、固定部材１３、中部固定筒１４、後部固定筒１６、及び中間筒４６によって構成され、前枠１０は固定環１２に、固定環１２は固定部材１３に、固定部材１３は中部固定筒１４に、中部固定筒１４は後部固定筒１６に、それぞれねじにより固定されている。また、後部固定筒１６はカメラ本体に固定される。これらの前枠１０、固定環１２、固定部材１３、中部固定筒１４、後部固定筒１６、及び中間筒４６によってレンズ鏡胴１の撮影光学系を構成する各部材が支持される。
【００１８】
レンズ鏡胴１の光軸Ｏ上には撮影光学系が配置され、この撮影光学系は、被写体側から順に前玉レンズ２０、ズームレンズ２２、絞り２４、固定レンズ２６、防振レンズ２８、固定レンズ３０、フォーカスレンズ３２、固定レンズ３４が配置されて構成される。
【００１９】
ズームレンズ２２は、ズーム倍率を変更するもので、保持枠４０に保持された状態で、光軸Ｏ方向に移動可能に中部固定筒１４の内部に配置されている。ズームレンズ２２の保持枠４０にはフランジ４２が形成され、このフランジ４２を介して移動筒４４に連結されている。中部固定筒１４の内周部には、前述した中間筒４６が固定され、この中間筒４６の内周部に回転筒４８が回動可能に保持されている。また、移動筒４４は、回転筒４８の内周部に保持されている。
【００２０】
中間筒４６の内周面には、光軸Ｏ方向の直進溝４６Ａが形成される。また、回転筒４８にはカム溝４８Ａが形成され、移動筒４４に固定されたカムピン５０が、回転筒４８のカム溝４８Ａを貫通して中間筒４６の直進溝４６Ａに係合されている。これにより、移動筒４４は、回転が規制された状態で光軸Ｏ方向に直進移動するとともに、カムピン５０がカム溝４８Ａに係合する位置に保持される。回転筒４８が回動すると、回転筒４８のカム溝４８Ａと中間筒４６の直進溝４６Ａとの交差位置がカム形状に応じた位置に変化し、その交差位置へのカムピン５０の移動によって移動筒４４が光軸Ｏ方向に進退移動する。
【００２１】
一方、中部固定筒１４の外周部には、ズームリング４が回動可能に配置され、このズームリング４の内周面の径方向内向きに、連結軸５４が取り付けられている。連結軸５４は、中部固定筒１４及び中間筒４６に形成された周方向の長孔（不図示）を貫通して回転筒４８に連結されている。これにより、ズームリング４を回動操作すると、それに連動して回転筒４８が回動する。回転筒４８が回動すると、上述のように移動筒４４が進退移動し、移動筒４４と連動してズームレンズ２２が光軸Ｏ方向に移動する。したがって、ズームリング４の回動操作によりズーム倍率が変更される。なお、ズームリング４の後側には、化粧環５８が中部固定筒１４に固定され、化粧環５８には、所要のスイッチ部材等が配設されている。
【００２２】
絞り２４は、地板６０とカム板６２との間に配置された絞り羽根６４によって開閉動作可能に構成されている。中部固定筒１４と後部固定筒１６の間には、アイリスリング６が回動可能に配設され、アイリスリング６とカム板６２との間が連結軸６８により連結されている。したがって、アイリスリング６を回動操作すると絞り２４が開閉動作し、光量が調整される。
【００２３】
防振レンズ２８は、レンズ鏡胴１に生じた振動による像振れを補正するために配置され、図示しない支持機構により光軸に直交する面内で上下方向及び左右方向に移動可能に支持されている。防振レンズ２８は保持枠７０に保持され、被写体側からみて、保持枠７０の下側及び右側にはそれぞれ防振レンズ２８を上下方向に駆動するためのボイスコイルモータ（以下、ＶＣＭ）７２と左右方向に駆動するＶＣＭ（不図示）が連結されている。これによって、レンズ鏡胴１が上下左右に振動した際に、その振動による像振れを打ち消すように防振レンズ２８が上下左右に変位して像振れが補正される。
【００２４】
フォーカスレンズ３２は、焦点位置を変更するもので、光軸Ｏ方向に移動可能に支持されている。また、フォーカスレンズ３２は、機械的に駆動されるのではなくＶＣＭの動力によって電動で駆動される。フォーカスレンズ３２は保持枠７６に保持され、被写体側からみたときにその保持枠７６の上側及び左側には、フォーカスレンズ３２を光軸Ｏ方向に駆動するためのＶＣＭ７８とＶＣＭ（不図示）とが連結されている。これらの２つのＶＣＭの動力により、フォーカスレンズ３２が光軸Ｏ方向に進退移動することにより、焦点位置が変更される。
【００２５】
一方、レンズ鏡胴１の前枠１０及び固定環１２の外周部には、第１フォーカスリング２Ａが回動可能に配置される。また、固定環１２及び固定部材１３の本体部１３Ａの外周部には、第２フォーカスリング２Ｂが固定部材１３のカバー部１３Ｂに覆われた状態で回動可能に配置されている。
【００２６】
第１フォーカスリング２Ａと第２フォーカスリング２Ｂの回転位置は、所定の位置センサによって検出され、位置センサにより検出された回転位置に対応する位置にフォーカスレンズ３２が移動するようにフォーカスレンズ３２を駆動するＶＣＭが図示しない制御部によって制御されている。これにより、フォーカスリング２Ａ又はフォーカスリング２Ｂが回動操作されると、それに連動してＶＣＭの動力によりフォーカスレンズ３２が光軸Ｏ方向に移動し、ピントが合う被写体までの距離が変更される。なお、制御部を構成する回路（ＣＰＵ等）は、カメラ本体内やレンズ鏡胴などに配置される。
【００２７】
図３は、図１及び図２のレンズ鏡胴１の先端側の一部を拡大して示した側面断面図である。
【００２８】
同図によれば、レンズ鏡胴１の固定筒（鏡胴本体）を構成する前枠１０、固定環１２、固定部材１３、中部固定筒１４、及び中間筒４６は一体的に連結され、この前枠１０の内側に前玉レンズ２０を保持したレンズ保持枠８０が位置されている。前枠１０はフォーカスリング２Ａの内側に配置され、よって、前玉レンズ２０はフォーカスリング２Ａの内側に配置されている。
【００２９】
前玉レンズ２０のレンズ保持枠８０は、フォーカスリング２Ａの内側位置において、その後端外周部８０Ａが、鏡胴本体を構成する中間筒４６の前端内周部４６Ａに回動自在に嵌合されている。
【００３０】
また、鏡胴本体を構成する前枠１０の前端内周部には雌ねじ１０Ａが形成され、この雌ねじ１０Ａに、押え環８２の雄ねじ８２Ａが螺着される。これにより、レンズ保持枠８０の押え環当接部８０Ｂに、押え環８２の枠当接部８２Ｂが押圧当接され、且つ、レンズ保持枠８０の筒当接部８０Ｃが、中間筒４６の枠当接部４６Ｂに押圧当接されることにより、フォーカスリング２Ａの内側位置において、レンズ保持枠８０が中間筒４６と押え環８２とによって挟持固定される。
【００３１】
このように、フォーカスリング２Ａの内側位置で前玉レンズ２０のレンズ保持枠８０を固定することにより、フォーカスリングの光軸方向前方側位置において、前玉レンズのレンズ保持枠を鏡胴本体に固定する固定構造と比較して、レンズ鏡胴１の全長を短くできる。
【００３２】
また、実施の形態のレンズ鏡胴１は、押え環８２を利用した挟持構造であり、フランジを使用した固定構造（図５参照）ではないため、フォーカスリング２Ａの内側位置でレンズ保持枠８０を固定してもレンズ鏡胴１の径が大きくなることはない。
【００３３】
更に、前玉レンズ２０の偏心調整は、押え環８２による固定工程の前に、レンズ保持枠８０を中間筒４６に嵌合させた状態で回転させることにより容易に実施できる。
【００３４】
よって、実施の形態のレンズ鏡胴１によれば、レンズ鏡胴１のコンパクト化を妨げることなく、且つ前玉レンズ２０の偏心調整を容易に行うことができる。
【００３５】
ところで、前玉レンズ２０のレンズ保持枠８０は、その被写体側周縁部８０Ｄを加熱して熱かしめにより前玉レンズ２０を保持しており、また、レンズ保持枠８０の押え環当接部８０Ｂには、図４の如く偏心調整を行うための治具が挿入される切欠き（偏心調整用切欠き部）８０Ｅ、８０Ｅ…が所定の間隔をもって形成されている。
【００３６】
実施の形態のレンズ鏡胴１では、レンズ保持枠８０の内側に変形した熱かしめ部である被写体側周縁部８０Ｄと切欠き８０Ｅ、８０Ｅ…とが、前玉レンズ２０を被写体側から見た際に押え環８２の内周縁部８２Ｃによって隠れるような大きさ形状に押え環８２が形成されている。
【００３７】
このように、レンズ保持枠８０の熱かしめ部及び切欠き８０Ｅ、８０Ｅ…を、前玉レンズ２０を被写体側から見た際に押え環８２によって隠すことにより、レンズ鏡胴１の外観の見栄えが向上する。なお、レンズ保持枠８０に熱かしめ部、切欠き８０Ｅ、８０Ｅ…のうち一方が形成されている場合には、その一方が押え環８２によって隠される。
【００３８】
また、前玉レンズ２０の偏心調整の一例について説明すると、押え環８２を前枠１０に螺着する前に、レンズ鏡胴１の光出射端に、カメラが取り付けられた製品の状態になった時の光出射端から結像点までの構造と同等の構造を有する調整具（プリズム等）を取り付けるとともに、その調整具からの光出射端に顕微鏡を接続する。そして、点光源を前玉レンズ２０から入射し、この出射光の結像点を顕微鏡にて観察する。そして、レンズ保持枠８０の被写体側から偏心調整用治具をレンズ保持枠８０に当接させる。偏心調整用治具はレンズ保持枠８０の切欠き８０Ｅ、８０Ｅ…に対向する位置に凸部を有している。偏心調整用治具をレンズ保持枠８０に当接させた状態で偏心調整用治具の凸部をレンズ保持枠の切欠き８０Ｅに嵌合させ、偏心調整用治具をレンズの光軸を中心に回動させることでレンズ保持枠８０を光軸を中心に回転させていき、このときに顕微鏡で見える点光源の結像点が最も収束した回動位置でレンズ保持枠８０の回動を止め、この位置でレンズ保持枠８０を押え環８２によって挟持固定する。以上が偏心調整の手順である。  
【図面の簡単な説明】
【００３９】
【図１】本発明に係るレンズ鏡胴の外観を示した側面図
【図２】図１に示したレンズ鏡胴の側断面図
【図３】本発明に係るレンズ鏡胴の要部の拡大断面図
【図４】図３に示したレンズ保持枠を被写体側からみた正面図
【図５】従来の前玉レンズの固定構造の一例を示した要部拡大断面図
【図６】従来の前玉レンズの固定構造の一例を示した要部拡大断面図
【符号の説明】
【００４０】
１…レンズ鏡胴、２Ａ…第１フォーカスリング、２Ｂ…第２フォーカスリング、４…ズームリング、６…アイリスリング、１０…前枠、１２…固定環、１３…固定部材、１３Ａ…本体部、１３Ｂ…カバー部、１４…中部固定筒、１６…後部固定筒、２０…前玉レンズ、２６、３０、３４…固定レンズ、２２…ズームレンズ、２４…絞り、２８…防振レンズ、３２…フォーカスレンズ、４６…中間筒、８０…レンズ保持枠、８０Ｅ…切欠き、８２…押え環
【図１】
2007219023.tif 000003
【図２】
2007219023.tif 000004
【図３】
2007219023.tif 000005
【図４】
2007219023.tif 000006
【図５】
2007219023.tif 000007
【図６】
2007219023.tif 000008